【手続補正書】
【提出日】平成26年10月17日(2014.10.17)
【手続補正１】
【補正対象書類名】特許請求の範囲
【補正対象項目名】全文
【補正方法】変更
【補正の内容】
【特許請求の範囲】
【請求項１】
第１ゲームおよび第２ゲームが実行されたことがある第１ユーザの端末装置から、当該第２ゲームで当該第１ユーザと所定の関係にあるユーザのうちの第２ユーザの端末装置に対して、当該第１ゲームを導入させるための招待処理を制御する制御部を備え、
前記制御部は、
前記第２ユーザを前記第１ゲームへ招待申請する招待申請情報を前記第１ユーザの端末装置から受け取る招待申請受取部と、
前記招待申請受取部が受け取った招待申請情報のうち前記第２ユーザに対する招待申請情報に基づく招待通知情報を、前記第２ユーザの端末装置に対して送信する招待通知部と、
を備えることを特徴とする管理装置。
【請求項２】
前記招待申請受取部は、前記招待申請情報を、前記第２ゲームにおける前記第２ユーザに対応した情報と関連付けて取得し、
前記招待申請受取部が関連付けて取得した前記招待申請情報と前記第２ゲームにおける前記第２ユーザに対応した情報とを関連付けて招待申請記録として管理する招待申請管理部、
を備えることを特徴とする請求項１に記載の管理装置。
【請求項３】
前記招待申請受取部は、前記招待申請情報を、前記第１ゲームにおける前記第１ユーザに対応した情報および前記第２ゲームにおける前記第２ユーザに対応した情報と関連付けて取得し、
前記招待申請管理部は、
前記招待申請受取部が関連付けて取得した前記招待申請情報と前記第１ゲームにおける前記第１ユーザに対応した情報と前記第２ゲームにおける前記第２ユーザに対応した情報とを関連付けて前記招待申請記録として管理する
ことを特徴とする請求項２に記載の管理装置。
【請求項４】
前記招待申請情報に関連付けられた前記第１ゲームにおける前記第１ユーザに対応した情報は、前記第１ユーザの端末装置にて前記第２ゲームが、前記第１ゲームから直接的又は当該端末装置の記憶部を介して間接的に取得したものである
ことを特徴とする請求項２または３に記載の管理装置。
【請求項５】
前記第２ユーザの端末装置からの申請照会に基づいて、前記第２ユーザに対する招待申請情報の有無を照会する申請照会部、を備え、
前記招待通知部は、
前記申請照会部が照会した結果、前記第２ユーザに対する前記招待申請情報が有る場合に前記第２ユーザの端末装置に対して、前記招待申請情報に基づく招待通知情報を送信する
ことを特徴とする請求項１から４の何れか一項に記載の管理装置。
【請求項６】
前記招待申請受取部は、前記招待申請情報を、前記第２ゲームにおける前記第２ユーザに対応した情報と関連付けて取得し、
前記招待申請受取部が関連付けて取得した前記招待申請情報と前記第２ゲームにおける前記第２ユーザに対応した情報とを関連付けて招待申請記録として管理する招待申請管理部、を備え、
前記申請照会部は、
前記第２ユーザの端末装置からの前記申請照会に関連付けられた前記第２ゲームにおける前記第２ユーザに対応した情報、に対応する前記招待申請記録の有無を照会する
ことを特徴とする請求項５に記載の管理装置。
【請求項７】
前記第２ユーザの端末装置で前記第１ゲームが起動したことに基づいて前記第２ユーザの端末装置又は前記第１ゲームに対応するサーバ装置から送信された、前記招待通知情報に対応する招待が成立したことを示す招待成立情報を受け取る招待成立受取部と、
前記招待成立受取部が受け取った前記招待成立情報に基づく所定の処理を行う招待成立処理部と、
を備えることを特徴とする請求項１から４の何れか一項に記載の管理装置。
【請求項８】
前記招待成立処理部は、
前記所定の処理として、前記招待成立受取部が受け取った前記招待成立情報に基づいて、前記招待通知情報に対応する招待が成立したことを通知する招待完了通知情報を、前記第１ユーザの端末装置又は前記第１ゲームに対応するサーバ装置に送信する
ことを特徴とする請求項７に記載の管理装置。
【請求項９】
前記招待成立処理部は、
前記招待成立受取部が受け取った前記招待成立情報に基づいて、前記第１ゲームにおける前記第１ユーザに報酬が付与されるように、少なくとも前記第１ゲームにおける前記第１ユーザに対応する情報を前記招待完了通知情報として、前記第１ユーザの端末装置又は前記第１ゲームに対応するサーバ装置に送信する
ことを特徴とする請求項８に記載の管理装置。
【請求項１０】
前記招待成立情報には前記招待通知情報の一部または全部が関連付けられており、当該招待通知情報の一部または全部は、前記第２ユーザの端末装置にて前記第１ゲームが、前記第２ゲームから直接的又は当該端末装置の記憶部を介して間接的に取得したものである
ことを特徴とする請求項７から９の何れか一項に記載の管理装置。
【請求項１１】
前記第１ゲームおよび前記第２ゲームを含む複数のゲームのそれぞれを示す情報を管理するアプリケーション管理部と、
前記アプリケーション管理部が管理する前記情報の少なくとも一部を前記第１ユーザの端末装置に対して送信するアプリケーション情報通知部と、
を備えることを特徴とする請求項１から１０の何れか一項に記載の管理装置。
【請求項１２】
前記アプリケーション管理部は、
前記第１ゲームおよび前記第２ゲームを含む複数のゲームのそれぞれに関する情報を管理し、
前記アプリケーション情報通知部は、
前記アプリケーション管理部を参照して、前記第１ゲームへの招待申請が可能であるか否かを判定し、前記招待申請が可能なゲームを示す情報を前記第１ユーザの端末装置に対して送信する
ことを特徴とする請求項１１に記載の管理装置。
【請求項１３】
前記アプリケーション管理部は、
招待申請の禁止を設定する設定側ゲームと、当該設定側ゲームに対する招待申請が禁止される被設定側ゲームとを組みにした招待禁止情報を管理し、
前記アプリケーション情報通知部は、
前記アプリケーション管理部が管理している前記招待禁止情報を参照して、前記第１ゲームを前記被設定側ゲームに設定している招待禁止情報がある場合には、当該招待禁止情報が示す設定側ゲームを除いたゲームを示す情報を、前記第１ユーザの端末装置に対して送信する
ことを特徴とする請求項１１または１２に記載の管理装置。
【請求項１４】
前記アプリケーション情報通知部は、
前記アプリケーション管理部が管理している前記招待禁止情報を参照して、前記第１ゲームを前記設定側ゲームに設定している招待禁止情報がある場合には、当該招待禁止情報が示す被設定側ゲームを除いたゲームを示す情報を、前記第１ユーザの端末装置に対して送信する
ことを特徴とする請求項１３に記載の管理装置。
【請求項１５】
前記招待申請情報又は前記招待通知情報を、前記第１ゲーム又は前記第２ゲームに対応するサーバ装置を介して前記第１ユーザの端末装置又は前記第２ユーザの端末装置と通信、若しくは直接的に前記第１ユーザの端末装置又は前記第２ユーザの端末装置と通信する送受信部、
を備えることを特徴とする請求項１から１４の何れか一項に記載の管理装置。
【請求項１６】
前記送受信部は、前記第１ゲーム又は前記第２ゲームに対応するサーバ装置を介して通信セッションを確立させた後で、直接的に前記第１ユーザの端末装置又は前記第２ユーザの端末装置と通信する
ことを特徴とする請求項１５に記載の管理装置。
【請求項１７】
第１ゲームおよび第２ゲームが実行されたことがある第１ユーザの端末装置から、当該第２ゲームで当該第１ユーザと所定の関係にあるユーザのうちの第２ユーザの端末装置に対して、当該第１ゲームを導入させるための招待処理を制御する制御部を備え、
前記制御部は、
前記第１ゲームおよび前記第２ゲームを含む複数のゲームのそれぞれを示す情報を管理するアプリケーション管理部と、
前記アプリケーション管理部が管理する前記情報の少なくとも一部を前記第１ユーザの端末装置の前記第１ゲームに対して送信するアプリケーション情報通知部と、
前記第１ユーザの端末装置において、前記アプリケーション情報通知部が送信した前記情報の少なくとも一部により示されるゲームのうちの起動された前記第２ゲームから、前記第２ユーザを前記第１ゲームへ招待申請する招待申請情報を受け取る招待申請受取部と、
前記招待申請情報に対応する招待申請記録を管理する招待申請管理部と、
前記第２ユーザの端末装置の前記第２ゲームからの申請照会に基づいて、前記第２ゲームにおける前記第２ユーザに対する招待申請記録の有無を照会する申請照会部と、
前記申請照会部が照会した結果、前記第２ユーザに対する招待申請記録が有る場合に前記第２ユーザの端末装置の前記第２ゲームに対して、当該招待申請記録に基づく招待通知情報を送信する招待通知部と、
前記第２ユーザの端末装置で前記第１ゲームが起動したことに基づいて前記第２ユーザの端末装置又は前記第１ゲームに対応するサーバ装置から送信された、前記招待通知情報に対応する招待が成立したことを示す招待成立情報を受け取る招待成立受取部と、
前記招待成立受取部が受け取った前記招待成立情報に基づく所定の処理を行う招待成立処理部と、
を備えることを特徴とする管理装置。
【請求項１８】
前記アプリケーション管理部が管理する前記情報の少なくとも一部、前記招待申請情報、前記招待通知情報、又は前記招待成立情報を、前記第１ゲーム又は前記第２ゲームに対応するサーバ装置を介して前記第１ユーザの端末装置又は前記第２ユーザの端末装置と通信、若しくは直接的に前記第１ユーザの端末装置又は前記第２ユーザの端末装置と通信する送受信部を備える
ことを特徴とする請求項１７に記載の管理装置。
【請求項１９】
前記送受信部は、前記第１ゲーム又は前記第２ゲームに対応するサーバ装置を介して通信セッションを確立させた後で、直接的に前記第１ユーザの端末装置又は前記第２ユーザの端末装置と通信する
ことを特徴とする請求項１８に記載の管理装置。
【請求項２０】
管理装置の管理方法であって、
第１ゲームおよび第２ゲームが実行されたことがある第１ユーザの端末装置から、当該第２ゲームで当該第１ユーザと所定の関係にあるユーザのうちの第２ユーザの端末装置に対して、当該第１ゲームを導入させるための招待処理を制御する制御ステップを有し、
前記制御ステップは、
前記第２ユーザを前記第１ゲームへ招待申請する招待申請情報を前記第１ユーザの端末装置から受け取るステップと、
前記第１ユーザの端末装置から受け取った招待申請情報のうち前記第２ユーザに対する招待申請情報に基づく招待通知情報を、前記第２ユーザの端末装置に対して送信するステップと、
を含むことを特徴とする管理方法。
【請求項２１】
管理装置の管理方法であって、
第１ゲームおよび第２ゲームが実行されたことがある第１ユーザの端末装置から、当該第２ゲームで当該第１ユーザと所定の関係にあるユーザのうちの第２ユーザの端末装置に対して、当該第１ゲームを導入させるための招待処理を制御する制御ステップを有し、
前記制御ステップは、
前記第１ゲームおよび前記第２ゲームを含む複数のゲームのそれぞれを示す情報を管理するステップと、
前記情報の少なくとも一部を前記第１ユーザの端末装置の前記第１ゲームに対して送信するステップと、
前記第１ユーザの端末装置において、前記情報の少なくとも一部により示されるゲームのうちの起動された前記第２ゲームから、前記第２ユーザを前記第１ゲームへ招待申請する招待申請情報を受け取るステップと、
前記招待申請情報に対応する招待申請記録を管理するステップと、
前記第２ユーザの端末装置の前記第２ゲームからの申請照会に基づいて、前記第２ゲームにおける前記第２ユーザに対する招待申請記録の有無を照会するステップと、
前記照会した結果、前記第２ユーザに対する招待申請記録が有る場合に前記第２ユーザの端末装置の前記第２ゲームに対して、当該招待申請記録に基づく招待通知情報を送信するステップと、
前記第２ユーザの端末装置で前記第１ゲームが起動したことに基づいて前記第２ユーザの端末装置又は前記第１ゲームに対応するサーバ装置から送信された、前記招待通知情報に対応する招待が成立したことを示す招待成立情報を受け取るステップと、
前記受け取った前記招待成立情報に基づく所定の処理を行うステップと、
を含むことを特徴とする管理方法。
【請求項２２】
第１ゲームおよび第２ゲームが実行されたことがある第１ユーザの端末装置から、当該第２ゲームで当該第１ユーザと所定の関係にあるユーザのうちの第２ユーザの端末装置に対して、当該第１ゲームを導入させるための招待処理を制御するコンピュータに、
前記第２ユーザを前記第１ゲームへ招待申請する招待申請情報を前記第１ユーザの端末装置から受け取るステップと、
前記第１ユーザの端末装置から受け取った招待申請情報のうち前記第２ユーザに対する招待申請情報に基づく招待通知情報を、前記第２ユーザの端末装置に対して送信するステップと、
を実行させるためのプログラム。
【請求項２３】
第１ゲームおよび第２ゲームが実行されたことがある第１ユーザの端末装置から、当該第２ゲームで当該第１ユーザと所定の関係にあるユーザのうちの第２ユーザの端末装置に対して、当該第１ゲームを導入させるための招待処理を制御するコンピュータに、
前記第１ゲームおよび前記第２ゲームを含む複数のゲームのそれぞれを示す情報を管理するステップと、
前記情報の少なくとも一部を前記第１ユーザの端末装置の前記第１ゲームに対して送信するステップと、
前記第１ユーザの端末装置において、前記情報の少なくとも一部により示されるゲームのうちの起動された前記第２ゲームから、前記第２ユーザを前記第１ゲームへ招待申請する招待申請情報を受け取るステップと、
前記招待申請情報に対応する招待申請記録を管理するステップと、
前記第２ユーザの端末装置の前記第２ゲームからの申請照会に基づいて、前記第２ゲームにおける前記第２ユーザに対する招待申請記録の有無を照会するステップと、
前記照会した結果、前記第２ユーザに対する招待申請記録が有る場合に前記第２ユーザの端末装置の前記第２ゲームに対して、当該招待申請記録に基づく招待通知情報を送信するステップと、
前記第２ユーザの端末装置で前記第１ゲームが起動したことに基づいて前記第２ユーザの端末装置又は前記第１ゲームに対応するサーバ装置から送信された、前記招待通知情報に対応する招待が成立したことを示す招待成立情報を受け取るステップと、
前記受け取った前記招待成立情報に基づく所定の処理を行うステップと、
を実行させるためのプログラム。
【手続補正２】
【補正対象書類名】明細書
【補正対象項目名】０００８
【補正方法】変更
【補正の内容】
【０００８】
上述した課題を解決するために、本発明の一態様は、第１ゲームおよび第２ゲームが実行されたことがある第１ユーザの端末装置（１００）から、当該第２ゲームで当該第１ユーザと所定の関係にあるユーザのうちの第２ユーザの端末装置に対して、当該第１ゲームを導入させるための招待処理を制御する制御部（２３０）を備え、前記制御部が、前記第２ユーザを前記第１ゲームへ招待申請する招待申請情報を前記第１ユーザの端末装置から受け取る招待申請受取部（２３３）と、前記招待申請受取部が受け取った招待申請情報のうち前記第２ユーザに対する招待申請情報に基づく招待通知情報を、前記第２ユーザの端末装置に対して送信する招待通知部（２３６）と、を備えることを特徴とする管理装置（２００）である。
【手続補正３】
【補正対象書類名】明細書
【補正対象項目名】０００９
【補正方法】変更
【補正の内容】
【０００９】
また、本発明の一態様は、上記管理装置において、前記招待申請受取部が、前記招待申請情報を、前記第２ゲームにおける前記第２ユーザに対応した情報と関連付けて取得し、前記招待申請受取部が関連付けて取得した前記招待申請情報と前記第２ゲームにおける前記第２ユーザに対応した情報とを関連付けて招待申請記録として管理する招待申請管理部（２３４）、を備えることを特徴とする。
【手続補正４】
【補正対象書類名】明細書
【補正対象項目名】００１０
【補正方法】変更
【補正の内容】
【００１０】
また、本発明の一態様は、上記管理装置において、前記招待申請受取部が、前記招待申請情報を、前記第１ゲームにおける前記第１ユーザに対応した情報および前記第２ゲームにおける前記第２ユーザに対応した情報と関連付けて取得し、前記招待申請管理部が、前記招待申請受取部が関連付けて取得した前記招待申請情報と前記第１ゲームにおける前記第１ユーザに対応した情報と前記第２ゲームにおける前記第２ユーザに対応した情報とを関連付けて前記招待申請記録として管理することを特徴とする。
【手続補正５】
【補正対象書類名】明細書
【補正対象項目名】００１１
【補正方法】変更
【補正の内容】
【００１１】
また、本発明の一態様は、上記管理装置において、前記招待申請情報に関連付けられた前記第１ゲームにおける前記第１ユーザに対応した情報は、前記第１ユーザの端末装置にて前記第２ゲームが、前記第１ゲームから直接的又は当該端末装置の記憶部（１４０）を介して間接的に取得したものであることを特徴とする。
【手続補正６】
【補正対象書類名】明細書
【補正対象項目名】００１２
【補正方法】変更
【補正の内容】
【００１２】
また、本発明の一態様は、上記管理装置が、前記第２ユーザの端末装置からの申請照会に基づいて、前記第２ユーザに対する招待申請情報の有無を照会する申請照会部（２３５）、を備え、前記招待通知部が、前記申請照会部が照会した結果、前記第２ユーザに対する前記招待申請情報が有る場合に前記第２ユーザの端末装置に対して、前記招待申請情報に基づく招待通知情報を送信することを特徴とする。
【手続補正７】
【補正対象書類名】明細書
【補正対象項目名】００１３
【補正方法】変更
【補正の内容】
【００１３】
また、本発明の一態様は、上記管理装置において、前記招待申請受取部が、前記招待申請情報を、前記第２ゲームにおける前記第２ユーザに対応した情報と関連付けて取得し、上記管理装置が、前記招待申請受取部が関連付けて取得した前記招待申請情報と前記第２ゲームにおける前記第２ユーザに対応した情報とを関連付けて招待申請記録として管理する招待申請管理部、を備え、前記申請照会部が、前記第２ユーザの端末装置からの前記申請照会に関連付けられた前記第２ゲームにおける前記第２ユーザに対応した情報、に対応する前記招待申請記録の有無を照会することを特徴とする。
【手続補正８】
【補正対象書類名】明細書
【補正対象項目名】００１４
【補正方法】変更
【補正の内容】
【００１４】
また、本発明の一態様は、上記管理装置が、前記第２ユーザの端末装置で前記第１ゲームが起動したことに基づいて前記第２ユーザの端末装置又は前記第１ゲームに対応するサーバ装置から送信された、前記招待通知情報に対応する招待が成立したことを示す招待成立情報を受け取る招待成立受取部（２３７）と、前記招待成立受取部が受け取った前記招待成立情報に基づく所定の処理を行う招待成立処理部（２３８）と、を備えることを特徴とする。
【手続補正９】
【補正対象書類名】明細書
【補正対象項目名】００１５
【補正方法】変更
【補正の内容】
【００１５】
また、本発明の一態様は、上記管理装置において、前記招待成立処理部が、前記所定の処理として、前記招待成立受取部が受け取った前記招待成立情報に基づいて、前記招待通知情報に対応する招待が成立したことを通知する招待完了通知情報を、前記第１ユーザの端末装置又は前記第１ゲームに対応するサーバ装置に送信することを特徴とする。
【手続補正１０】
【補正対象書類名】明細書
【補正対象項目名】００１６
【補正方法】変更
【補正の内容】
【００１６】
また、本発明の一態様は、上記管理装置において、前記招待成立処理部が、前記招待成立受取部が受け取った前記招待成立情報に基づいて、前記第１ゲームにおける前記第１ユーザに報酬が付与されるように、少なくとも前記第１ゲームにおける前記第１ユーザに対応する情報を前記招待完了通知情報として、前記第１ユーザの端末装置又は前記第１ゲームに対応するサーバ装置に送信することを特徴とする。
【手続補正１１】
【補正対象書類名】明細書
【補正対象項目名】００１７
【補正方法】変更
【補正の内容】
【００１７】
また、本発明の一態様は、上記管理装置において、前記招待成立情報には前記招待通知情報の一部または全部が関連付けられており、当該招待通知情報の一部または全部は、前記第２ユーザの端末装置にて前記第１ゲームが、前記第２ゲームから直接的又は当該端末装置の記憶部を介して間接的に取得したものであることを特徴とする。
【手続補正１２】
【補正対象書類名】明細書
【補正対象項目名】００１８
【補正方法】変更
【補正の内容】
【００１８】
また、本発明の一態様は、上記管理装置が、前記第１ゲームおよび前記第２ゲームを含む複数のゲームのそれぞれを示す情報を管理するアプリケーション管理部（２３１）と、前記アプリケーション管理部が管理する前記情報の少なくとも一部を前記第１ユーザの端末装置に対して送信するアプリケーション情報通知部（２３２）と、を備えることを特徴とする。
【手続補正１３】
【補正対象書類名】明細書
【補正対象項目名】００１９
【補正方法】変更
【補正の内容】
【００１９】
また、本発明の一態様は、上記管理装置において、前記アプリケーション管理部が、前記第１ゲームおよび前記第２ゲームを含む複数のゲームのそれぞれに関する情報を管理し、前記アプリケーション情報通知部が、前記アプリケーション管理部を参照して、前記第１ゲームへの招待申請が可能であるか否かを判定し、前記招待申請が可能なゲームを示す情報を前記第１ユーザの端末装置に対して送信することを特徴とする。
【手続補正１４】
【補正対象書類名】明細書
【補正対象項目名】００２０
【補正方法】変更
【補正の内容】
【００２０】
また、本発明の一態様は、上記管理装置において、前記アプリケーション管理部が、招待申請の禁止を設定する設定側ゲームと、当該設定側ゲームに対する招待申請が禁止される被設定側ゲームとを組みにした招待禁止情報を管理し、前記アプリケーション情報通知部が、前記アプリケーション管理部が管理している前記招待禁止情報を参照して、前記第１ゲームを前記被設定側ゲームに設定している招待禁止情報がある場合には、当該招待禁止情報が示す設定側ゲームを除いたゲームを示す情報を、前記第１ユーザの端末装置に対して送信することを特徴とする。
【手続補正１５】
【補正対象書類名】明細書
【補正対象項目名】００２１
【補正方法】変更
【補正の内容】
【００２１】
また、本発明の一態様は、上記管理装置において、前記アプリケーション情報通知部が、前記アプリケーション管理部が管理している前記招待禁止情報を参照して、前記第１ゲームを前記設定側ゲームに設定している招待禁止情報がある場合には、当該招待禁止情報が示す被設定側ゲームを除いたゲームを示す情報を、前記第１ユーザの端末装置に対して送信する。
【手続補正１６】
【補正対象書類名】明細書
【補正対象項目名】００２２
【補正方法】変更
【補正の内容】
【００２２】
また、本発明の一態様は、上記管理装置が、前記招待申請情報又は前記招待通知情報を、前記第１ゲーム又は前記第２ゲームに対応するサーバ装置を介して前記第１ユーザの端末装置又は前記第２ユーザの端末装置と通信、若しくは直接的に前記第１ユーザの端末装置又は前記第２ユーザの端末装置と通信する送受信部（２１０）、を備えることを特徴とする。
【手続補正１７】
【補正対象書類名】明細書
【補正対象項目名】００２３
【補正方法】変更
【補正の内容】
【００２３】
また、本発明の一態様は、上記管理装置において、前記送受信部が、前記第１ゲーム又は前記第２ゲームに対応するサーバ装置を介して通信セッションを確立させた後で、直接的に前記第１ユーザの端末装置又は前記第２ユーザの端末装置と通信することを特徴とする。
【手続補正１８】
【補正対象書類名】明細書
【補正対象項目名】００２４
【補正方法】変更
【補正の内容】
【００２４】
また、本発明の一態様は、第１ゲームおよび第２ゲームが実行されたことがある第１ユーザの端末装置から、当該第２ゲームで当該第１ユーザと所定の関係にあるユーザのうちの第２ユーザの端末装置に対して、当該第１ゲームを導入させるための招待処理を制御する制御部を備え、前記制御部が、前記第１ゲームおよび前記第２ゲームを含む複数のゲームのそれぞれを示す情報を管理するアプリケーション管理部と、前記アプリケーション管理部が管理する前記情報の少なくとも一部を前記第１ユーザの端末装置の前記第１ゲームに対して送信するアプリケーション情報通知部と、前記第１ユーザの端末装置において、前記アプリケーション情報通知部が送信した前記情報の少なくとも一部により示されるゲームのうちの起動された前記第２ゲームから、前記第２ユーザを前記第１ゲームへ招待申請する招待申請情報を受け取る招待申請受取部と、前記招待申請情報に対応する招待申請記録を管理する招待申請管理部と、前記第２ユーザの端末装置の前記第２ゲームからの申請照会に基づいて、前記第２ゲームにおける前記第２ユーザに対する招待申請記録の有無を照会する申請照会部と、前記申請照会部が照会した結果、前記第２ユーザに対する招待申請記録が有る場合に前記第２ユーザの端末装置の前記第２ゲームに対して、当該招待申請記録に基づく招待通知情報を送信する招待通知部と、前記第２ユーザの端末装置で前記第１ゲームが起動したことに基づいて前記第２ユーザの端末装置又は前記第１ゲームに対応するサーバ装置から送信された、前記招待通知情報に対応する招待が成立したことを示す招待成立情報を受け取る招待成立受取部と、前記招待成立受取部が受け取った前記招待成立情報に基づく所定の処理を行う招待成立処理部と、を備えることを特徴とする管理装置である。
【手続補正１９】
【補正対象書類名】明細書
【補正対象項目名】００２５
【補正方法】変更
【補正の内容】
【００２５】
また、本発明の一態様は、上記管理装置が、前記アプリケーション管理部が管理する前記情報の少なくとも一部、前記招待申請情報、前記招待通知情報、又は前記招待成立情報を、前記第１ゲーム又は前記第２ゲームに対応するサーバ装置を介して前記第１ユーザの端末装置又は前記第２ユーザの端末装置と通信、若しくは直接的に前記第１ユーザの端末装置又は前記第２ユーザの端末装置と通信する送受信部を備えることを特徴とする。
【手続補正２０】
【補正対象書類名】明細書
【補正対象項目名】００２６
【補正方法】変更
【補正の内容】
【００２６】
また、本発明の一態様は、上記管理装置において、前記送受信部が、前記第１ゲーム又は前記第２ゲームに対応するサーバ装置を介して通信セッションを確立させた後で、直接的に前記第１ユーザの端末装置又は前記第２ユーザの端末装置と通信することを特徴とする。
【手続補正２１】
【補正対象書類名】明細書
【補正対象項目名】００２７
【補正方法】変更
【補正の内容】
【００２７】
また、本発明の一態様は、管理装置の管理方法であって、第１ゲームおよび第２ゲームが実行されたことがある第１ユーザの端末装置から、当該第２ゲームで当該第１ユーザと所定の関係にあるユーザのうちの第２ユーザの端末装置に対して、当該第１ゲームを導入させるための招待処理を制御する制御ステップを有し、前記制御ステップが、前記第２ユーザを前記第１ゲームへ招待申請する招待申請情報を前記第１ユーザの端末装置から受け取るステップと、前記第１ユーザの端末装置から受け取った招待申請情報のうち前記第２ユーザに対する招待申請情報に基づく招待通知情報を、前記第２ユーザの端末装置に対して送信するステップと、を含むことを特徴とする管理方法である。
【手続補正２２】
【補正対象書類名】明細書
【補正対象項目名】００２８
【補正方法】変更
【補正の内容】
【００２８】
また、本発明の一態様は、管理装置の管理方法であって、第１ゲームおよび第２ゲームが実行されたことがある第１ユーザの端末装置から、当該第２ゲームで当該第１ユーザと所定の関係にあるユーザのうちの第２ユーザの端末装置に対して、当該第１ゲームを導入させるための招待処理を制御する制御ステップを有し、前記制御ステップが、前記第１ゲームおよび前記第２ゲームを含む複数のゲームのそれぞれを示す情報を管理するステップと、前記情報の少なくとも一部を前記第１ユーザの端末装置の前記第１ゲームに対して送信するステップと、前記第１ユーザの端末装置において、前記情報の少なくとも一部により示されるゲームのうちの起動された前記第２ゲームから、前記第２ユーザを前記第１ゲームへ招待申請する招待申請情報を受け取るステップと、前記招待申請情報に対応する招待申請記録を管理するステップと、前記第２ユーザの端末装置の前記第２ゲームからの申請照会に基づいて、前記第２ゲームにおける前記第２ユーザに対する招待申請記録の有無を照会するステップと、前記照会した結果、前記第２ユーザに対する招待申請記録が有る場合に前記第２ユーザの端末装置の前記第２ゲームに対して、当該招待申請記録に基づく招待通知情報を送信するステップと、前記第２ユーザの端末装置で前記第１ゲームが起動したことに基づいて前記第２ユーザの端末装置又は前記第１ゲームに対応するサーバ装置から送信された、前記招待通知情報に対応する招待が成立したことを示す招待成立情報を受け取るステップと、前記受け取った前記招待成立情報に基づく所定の処理を行うステップと、を含むことを特徴とする管理方法である。
【手続補正２３】
【補正対象書類名】明細書
【補正対象項目名】００２９
【補正方法】変更
【補正の内容】
【００２９】
また、本発明の一態様は、第１ゲームおよび第２ゲームが実行されたことがある第１ユーザの端末装置から、当該第２ゲームで当該第１ユーザと所定の関係にあるユーザのうちの第２ユーザの端末装置に対して、当該第１ゲームを導入させるための招待処理を制御するコンピュータに、前記第２ユーザを前記第１ゲームへ招待申請する招待申請情報を前記第１ユーザの端末装置から受け取るステップと、前記第１ユーザの端末装置から受け取った招待申請情報のうち前記第２ユーザに対する招待申請情報に基づく招待通知情報を、前記第２ユーザの端末装置に対して送信するステップと、を実行させるためのプログラムである。
【手続補正２４】
【補正対象書類名】明細書
【補正対象項目名】００３０
【補正方法】変更
【補正の内容】
【００３０】
また、本発明の一態様は、第１ゲームおよび第２ゲームが実行されたことがある第１ユーザの端末装置から、当該第２ゲームで当該第１ユーザと所定の関係にあるユーザのうちの第２ユーザの端末装置に対して、当該第１ゲームを導入させるための招待処理を制御するコンピュータに、前記第１ゲームおよび前記第２ゲームを含む複数のゲームのそれぞれを示す情報を管理するステップと、前記情報の少なくとも一部を前記第１ユーザの端末装置の前記第１ゲームに対して送信するステップと、前記第１ユーザの端末装置において、前記情報の少なくとも一部により示されるゲームのうちの起動された前記第２ゲームから、前記第２ユーザを前記第１ゲームへ招待申請する招待申請情報を受け取るステップと、前記招待申請情報に対応する招待申請記録を管理するステップと、前記第２ユーザの端末装置の前記第２ゲームからの申請照会に基づいて、前記第２ゲームにおける前記第２ユーザに対する招待申請記録の有無を照会するステップと、前記照会した結果、前記第２ユーザに対する招待申請記録が有る場合に前記第２ユーザの端末装置の前記第２ゲームに対して、当該招待申請記録に基づく招待通知情報を送信するステップと、前記第２ユーザの端末装置で前記第１ゲームが起動したことに基づいて前記第２ユーザの端末装置又は前記第１ゲームに対応するサーバ装置から送信された、前記招待通知情報に対応する招待が成立したことを示す招待成立情報を受け取るステップと、前記受け取った前記招待成立情報に基づく所定の処理を行うステップと、を実行させるためのプログラムである。